(57)【特許請求の範囲】
【請求項１】
スクリーンとして働くのに適した壁または他の表面上へ視覚的効果を得るための装置であって、前記壁または他の表面上へ液体の波のパターンを光源を用いて光投影することよりなる形式のものにおいて、
液体（１０）を収容する水平に延びる定置の液体容器（１１）と、
液体（１０）に波を生成する波発生手段と、
光ビームを生ずる光源（１５）と、
液体容器（１１）内に液体層を形成し、該液体層の底部の幾何学的形態を変更して、前記波発生手段によって生成される波のパターンを変更する、前記波発生手段とは別の、波変調手段とを備えることを特徴とする、液体の波の光投影によって視覚的効果を得るための装置。
【請求項２】
前記波変調手段は、液体容器（１１）内において変位可能に設けられた可動の平面部材（１３）と、該可動の平面部材（１３）を動かす駆動装置（１７；６０；６９）とを備え、該駆動装置（１７）は、前記生成される波のパターンを変更すべく、液体容器（１１）において可動の平面部材（１３）を変位させて、可動の平面部材（１３）上方の前記液体層の厚さを変更する、請求項１記載の装置。
【請求項３】
可動の平面部材（１３）及び駆動装置（１７）が前記波発生手段としても機能する、請求項２記載の装置。
【請求項４】
可動の平面部材が液体内に前記視覚的効果を得るための装置の非作動または休止状態で液体面にほぼ平行な位置で支持手段（１６、図１、図２；７１、図７）によって支持されている、請求項２又は３記載の装置。
【請求項５】
支持手段が可動の平面部材の縁または周辺部分を液体容器（１１；２１；３７；３９；５１；６５；７４）の縁または側壁部分と結合する弾性部材（１６；７１）である、請求項４記載の装置。
【請求項６】
可動の平面部材（６７、図７）のための支持手段（６８）が、可動の平面部材の中央部分を液体容器（６５）の部分へ固定的に結合する固定部材（６８）を備え、可動の平面部材が、固定部材（６８）による固定的な結合にもかかわらず、駆動装置の作用下にその可変の変位を可能にする撓み性または弾性特性を有している、請求項２から５までのいずれか１項記載の装置。
【請求項７】
可動の平面部材のための駆動装置が、該平面部材の縁部分へ作用する、機械式、電気的、磁気的、電磁的または液力式に駆動される駆動ロッドまたはピストン（１７；６０；６９）である、請求項２から６までのいずれか１項記載の装置。
【請求項８】
駆動ロッドまたはピストン（１７、図４）が可動の平面部材（３３）を支持する、請求項７記載の装置。
【請求項９】
前記光ビームを反射するために設けられたミラー（１４）を備える、請求項１から８までのいずれか１項記載の装置。
【請求項１０】
光源を組み込んだ照明装置（１５；２４；３５；５４；７６）が液体容器上方の、可動の平面部材の上方の液体内に形成された波のパターンを照明する位置に取り付けられており、反射光ビーム（２６、図３；５９、図６）が波パターンを前記壁または他の表面（２８、図３；７８、図８）上へ投影する、請求項９記載の装置。
【請求項１１】
ミラー表面（１４、図１，図２；５８、図６）が可動の平面部材（１３；５７）の上面上に設けられている、請求項１０記載の装置。
【請求項１２】
可動の平面部材が透明の物質から製作されており、かつミラー表面が液体容器の底の上面上に設けられている、請求項１０記載の装置。
【請求項１３】
液体容器の底および可動の平面部材が透明の物質から製作されており、かつ光源を組み込んだ照明装置が液体容器の下方の、可動の平面部材の上方の液体内に形成された可動の波のパターンを下から照明する位置に取り付けられており、透過した光ビームが波のパターンを前記壁または他の表面上へ投影する、請求項２から８までのいずれか１項記載の装置。
【請求項１４】
可動の平面部材が複数の互いに隣接する平面部材部分から構成されており、外部の駆動力の下で、各平面部材部分が隣接する平面部材部分と協働しかつ、隣接する平面部材部分に対して相対的に運動し得る、請求項２から１３までのいずれか１項記載の装置。
【請求項１５】
可動の平面部材を１人または数人による身体的なエクササイズ努力に依存して人力作動するために用意された、請求項２から１４までのいずれか１項記載の装置。
【発明の詳細な説明】
現代社会の“目で生きる”流行（trend）によりショー、世俗的または文化的なイベント、また公的または私的な場所の特別な魅力的な永久セッティングのために使用される、新規の遠近画法的、ステージ、装飾的効果に対する要求が著しく高まっている。目はお定まりの日常生活のパターンから逃れ、より大きなスリルを求める人間の心の欲求、感情の受容部である。
これとの関連で現れている、他の最近の流行はストレスに曝された人々をリラックスさせ、外界から彼らを引き離し、専門家の言う“ウエルネス（wellness）”としての“内なる調和を見出す”のを助けるための視覚的効果の使用である。
このような遠近画法的、かつ装飾的効果の多数（大多数ではないが）は、視覚的効果がその上に形成される支持部材として種々の性質、寸法および空間的なオリエンテーションを持つ表面を使用する。
いくつかの例では視覚的効果を発生する装置はこのような表面内に組み込まれる（例えば終わることのない多様なデザインを発生し、かつこれらのタイミングをプログラムするのに適したコンピュータによって制御される発光ダイオードを備えるパネルの場合）。元々これらの装置は表面単位当たりのコストが高く（見える像（looking image）を技術的に製作する）、これらは操作使用中ではない時に周囲のセッティング内へ組み込むのは難しい。
より多用途（versatile）の、一般にあまり高価ではない技術は、適切な光源の手段による、またはカラーＴＶプロジェクタの使用による壁または他の表面上への光投影である。前者の技術によって空間セッティング内部で移動せしめられる定常または固定的なイメージの連続が得られる（例えばディスコや劇場で使用されるプロジェクタまたは、あるいはコンピュータによって制御されるレーザービーム）。観察者にとっては得られる視覚的な印象は表面上を移動するデザイン、形状、光の点または光のスポットの組合せであり、このような表面の性質は、観察者にとって認められるように不変である。最後の問題はカラーＴＶプロジェクタによって克服されるかも知れないが、目下のところ投影されるイメージの質と次元についての限界と高コストの問題がある。さらにこのようなイメージはいずれの場合でもそのものとして、すなわち人工的、電子処理、直接性の欠落という外観と印象を持つＴＶまたはビデオイメージとして認められる。
上記のことから投影されたイメージの“自然性”、最大の空間的融通性（versatility）、すなわち異なる空間的オリエンテーションを持つ表面上に同時に投影するのに適する効果の発生、および必要な装置の経済的なコストの利点を組み合わせる、遠近画法的、装飾的効果を発生するための新規技術に関心のあることは明らかである。
人を魅了する視覚的効果は自然現象である：太陽に照らされ、そして石または砂の底の上に投影される水の波のパターンデザイン。本発明の範囲は、液体の波の動きによって発生されるデザインパターンを、終わることのない多様性（variety）を持つデザインパターンが得られるシステムを用いて異なる種類の表面上で再現することであり、例えばこのような多様性とは低速の波動パルスの明確なデザインから高速で干渉的な波列のより混乱した液面までの中断されない変化である。
したがって広い観点では本発明は、液体の波の運動を壁またはスクリーン表面上へ光源を用いて光投影（ｌｕｍｉｎｏｕｓ  ｐｒｏｊｅｃｔｉｏｎ）することより成る、遠近画法的、装飾的かつ建築様式的な使用、目的のために壁および他のスクリーンとして適する表面上に視覚的効果を得るためのシステムを提供することであり、波の運動が液体の容器内に置かれた可動の平面部材（ｐｌａｎａｒ  ｅｌｅｍｅｎｔ）の上面の上で起こるように発生せしめられ、可動の平面部材がこの可動の平らな部材に作用する外部駆動装置または作動手段により作動されて液体に対して可変に変位できるように配置されており、この変位の多様性が所望の多様性を持つ波の運動を発生する。
本発明の教示にしたがって、部屋の壁全体を生き生きとさせ、かつ“液体”セッティングを創造することが可能である：観察者は、観察者によって認められるイメージの自然さに基づくきわめて嬉しい仕方で、川、湖の波、浜辺の引き潮（ｂａｃｋｗａｓｈ）運動に囲まれていると感じる。適当な光源および光学装置によって視覚化されるのは実際に液体自体、例えば水の運動である。
日本国特許公開第３１３８８０２号明細書には装飾的照明装置が開示されている。
以下図面を参照しながら本発明が実施例につき説明される。図１は非操作状態の本発明を実施する装置と配置の略示断面図、図２は可能な操作状態の１つにある図１の装置の略示図、図３は投影スクリーンとして働く周壁と協働する図１、図２による装置の全体的な斜視図、図４は付加的に別個の波発生手段を備える、図１、図２に示されたものに類似した装置の同様の図、図５のＡ、Ｂ、Ｃ、Ｄはそれぞれ本発明のシステムで得られる種々の波パターンを例示する略示断面図、図６は、可動の平面部材を作動するための付属の駆動装置と制御手段とともに本発明を実施するシステムを技術的に詳細に示す、一部断面した側面図、図７は可動の平面部材のための特別な支持構成を含む別の実施例による装置の図１、図２と同様の略示断面側面図、図８は、人またはユーザーを本発明のシステム内の作動構成部分として組み込んだリラックスシステムの関係で利用される本発明のシステムを、リラックスシステムと一緒に例示する略示斜視図である。
図１は本発明の優れた実施例の１つの非操作状態を例として示す。
容器１１は液体１０で満たされており、液体の表面１２は休止または非作動状態で示されている。適当な光源を含む光学装置１５が光ビームを液体１０の表面１２に向けて発生する。平面部材１３が容器１１内部に置かれている。このような平面部材１３はこのシステムの操作中液体のレベルに対して連続的に位置を、すなわちその液体表面からの鉛直方向距離と傾斜を変えることができるように固定されている。
このような位置の変化は、平面部材１３を弾性部材１６を介して容器１１の縁へ“定着”または結合し、かつ該平面部材１３の表面へ、鉛直方向に向けられた作動ロッドまたは作動ピストン部材１７または他の周知の運動を与えるための機構で作用することによって得られるが、これに限定されるものではない。平面部材１３はその上面にミラー１４を備えることができ、ミラーは本発明の視覚的効果を形成したい表面へ向けて光線を反射する機能を持つ。
図２は図１に示された装置の可能な操作状態の１つを示す。作動ロッド１７ａのような駆動機構によって作られる、平面部材にその外端近くで与えられる鉛直方向下向きの衝撃が、下方へ押された平面部材１３部分を、作動されなかった他の駆動機構、例えば別の作動ロッドまたは作動ピストン１７ｂの下にある作動されなかった部分に対して相対的により深く沈ませる。平面部材１３の下方への変位は矢印１８によって示される液体の逆流（reflux）を生ぜしめ、この逆流が平面部材１３の上方に波１９を生む。
波１９の運動は光学装置１５内に設けられた光源によって発生される光ビームにより１つ以上の表面上へ投影される。その結果が図３に略示されている。
図３に示された本発明の実施例では液体の容器２１はフレーム２０上に設置され、かつ液体２２で満たされている。波２３は上記のようにして液体内で生ぜしめられる。この液体の波が光学装置１４内に設けられた光源によって発生される光ビームによって照らされる。該光ビームは平面部材１３（図１、図２）の上面上に置かれたミラー２５によって反射される。反射された光ビーム２６はスクリーンとして働く表面２８，例えば部屋内の、または適当な遠近画法的なセットアップ内の壁上に波のデザインのパターンを再生する。
平面部材１３（図１、図２）は、この平面部材の外縁近傍に置かれる駆動機構によって与えられる運動の観点で、本発明のシステムの基本的な特徴をなす；この運動がこの平面部材上方の液体層の厚さおよび平面部材の液体表面に対する傾斜を連続的に変化させる。
平面部材１３（図１、図２）は基本的に可変の深さにある可動の底として作用する；液体の波の運動パターンはまた液体の深さおよび可動の底の傾斜に依存するので、本発明はきわめて多様な光投影波デザインパターンを得ることを可能にする。
本発明の技術によれば、平面部材１３が付属の運動駆動機構との組合せで波（図２の１９；図３の２３）を発生する部材を構成することは有利であるが、必要というのではない。この場合平面部材１３のための運動駆動機構のパワーは、所望により液体によって及ぼされる抵抗に抗して平面部材１３の外縁の迅速な鉛直方向の変位を可能にするのに十分でなければならない。次いで液体は突然乱流状態で平面部材１３の上面上を流れ、かつ干渉波デザインがこれにより発生されよう、これが本システムの重要な特徴であり、かつ大きな魅力である。
あるいは波は、図４に例として略示されているように、平面部材１３の運動と多少とも組み合わされた通常の波発生器によって発生させることができる。
波を発生する振動運動は容器３７内の液体３６中へ浸漬せしめられたプレート２９（図４）へ伝えられる；プレート２９は軸線３０を中心として回転可能に取り付けられており、プレート２９はアーム３１を介して電動機へ接続されている。液体３４の表面に対して相対的に平面部材３３の位置および傾斜を変えることにより、光学装置３５内の光源によって投影された、きわめて多様な波のデザイン形状を得ることができる。
具体的に説明された、図４に示された装置以外の他の波発生装置が液力の分野で公知であり、かつ本発明の範囲内である。
さらに本発明は１つの単独の波発生装置の利用のみに限定されるものではない；複数の波発生装置を液体の容器の周辺または縁に配置して、多数の方向を持つ波を得るようにすることができ、これらの方向間に高度に多様性の干渉現象を得る。
次に、本発明により得ることができる多様性を持つ波パターンの例として４つの異なる状況が、平面部材１３（図１、図２）の運動が唯一の波発生機構である場合、すなわち図４に示されたような付加的な、または別個の波発生器（符号２９，３０，３１，３２で示される）が使用されない場合に関して簡単に説明される。
図５Ａは“ポジティブなうねり”または“並進的な”波４０ａ（すなわち伝搬方向の液体の変位）を示し、例えば液体３９の容器内に設けられた平面部材４１の上面または表面上に形成される引き波である。矢印４２は波の運動を示し、他方矢印４３´は波を引き起こす、または作る平面部材４１の変位を示す。
図５Ｂは図５Ａに記載されたのと同様の状況を示すが、この場合には平面部材の鉛直方向の変位がより顕著であり、“ポジティブなうねり”波４０ｂは乱流現象４３と合せられているかまたは重ねられている。
図５ｃは完全に浸漬された平面部材４１の変位（矢印４６）によって生じた、矢印４５の方向に伝搬する波パルス４４を示す。
図５Ｄは、互いに反対方向から生まれ、互いに干渉する波パルス４７，４８を示す；波は矢印４９，５０によって示されたような平面部材４１の急激な降下によって発生される。いずれにしても、本発明の方法によると平面部材（１３、図１、図２；３３、図４；４１、図５）のきわめて多様な位置と運動挙動の結果、動く波のきわめて多様な投影デザインパターンが得られることが明らかとなった。この点で、図５は数例を示すにすぎず、これらに限定されるものではない。
図６は本発明による１実施例を技術的により詳しく、やはり単に１例として示す。
液体５２の容器５１はフレーム５３によって支持されている。光学装置５４内に含まれた光源が、平面部材５７（上面でミラー様の表面５８によって覆われている）の運動５６ａ、５６ｂの結果水表面５５上に形成された波上へ光ビームを投影するように配置されている；こうして光ビームは壁スクリーンへ向けて矢印５９によって示される方向へ反射され、壁スクリーン上に動く波のデザインまたはパターンを可視化する。
平面部材５７に対して与えられる変位または運動は作動ロッドまたは作動ピストン６０ａ、６０ｂによって形成される。ロッドまたはピストンはガイド軸受６１ａ、６１ｂ内を滑動可能に可動である。
ロッド６０ａ、６０ｂの駆動運動は、リンク機構６３ａ、６３ｂを介して駆動結合された電動機６２ａ、６２ｂによって発生される。電動機６２ａ、６２ｂは制御ユニット６４へ結合されており、制御ユニットはコンピュータであってよい。この例で考えられる液体は水である。実施例の若干の例としては寸法“１”（図６）は有利に３０〜４０ｃｍよりも大きく、液体の深さ“ｈ”は水または類似のものの場合きわめて小さく、およそ２ｃｍよりも高い。以下の説明は本発明に従って実施されるシステムの個々の構成部材に関する。
光源を組み込んだ光学装置（１５、図１、図２、図４；２４、図３；３５、図４；５４、図６）は波の直接投影か、あるいは光線路に沿って波のサイトと、該波の像が形成される壁スクリーンのサイトとの間の位置に１個以上のレンズを加えることによる波のイメージング投影かのいずれからか選択され得る。最初の例では、適当な１００Ｗのハロゲン光源を液体の表面から５０ｃｍの距離に配置することができ（この例に限定されない）、周囲を暗くした条件で距離４〜６ｍのところに卓越した像を生じる。
第２の例では、光学システムは、液体の表面が１つのレンズ（または複数）に当たる光線の収れん路内に位置決めされるように設計すると有利であるが必須ではない。さらに距離によってはより強力な光源が選択されると有利な場合がある。
波表面に対して相対的な、光学装置（１５、図１、図２、図４；２４、図３；３５、図４;５４、図６）内に含まれる光源の具体的な位置は、このシステムの具体的に選択されたジオメトリーに依存する。本発明は、光線が平面部材（１３、図１、図２；３３、図４；４１、図５；５７、図６）の下方の液体の層を通過する構成を包含するものであることに注意すべきである。この状況は、光源が液体の容器（１１、図１、図２；２１、図３；３７、図４；３９、図５；５１、図６）の下方に置かれる場合であり、この場合光線路（light ray paths）の方向は上向きであり、かつ液体の容器の底および平面部材の両方が完全に透過性でなければならず、平面部材はミラー様の表面を持たない；また、上記状況は、逆の場合、すなわち光源が液体の容器の上方に置かれる場合である。最初の配置は上方向の、例えば天井への投影に、第２の配置はシステムを十分に高いレベルに、または持ち上げて、例えば天井近くに配置して下方向の、例えば床への投影にそれぞれより好適である。
本発明の他の配置によればミラー様表面を平面部材上ではなく、液体の容器の底に設けてもよい。
若干の場合では光学装置（１５、図１、図２、図４；２４、図３；３５、図４；５４、図６）内の光源から発せられた光ビームを光線の光学距離（optical path）に沿って設けられた付加的なミラーを用いて再配向すると有利であることも認められよう。
平面部材（１３、図１、図２；３３、図４；４１、図５；５７、図６）の形状と寸法は、液体の容器の形状と寸法によって決定されよう。例えばこれに限定されないが、若干大きな直径を持つ円形液体容器内で使用される同形の円形平面部材である。平面部材は永久変形なしに、駆動機構によって発生される機械的応力に耐えるほど十分に剛性でなければならない；例えば平面部材は適当なプラスティック材料または選択された液体に抵抗性の金属から製作することができる。
平面部材は一般に平坦な表面を持つが、より顕著な引き波効果（backwash effects）が望ましい場合には該表面は上方へ少し凸状になっていてよく、あるいはより顕著な逆流効果（reflux effects）が望ましい場合には逆に上記表面は下方へ少し凸状になっていてよい。また平面部材の他の形状も、方法の効果を損なうのを回避するための十分な程度の平坦性が維持されるならば可能である。
これに関連して図７に平面部材の特別な構成を実現する構造が例示される。液体６６で満たされた容器６５内の撓み性の平面部材６７は表面の１点で、必要ではないが有利にはそのジオメトリー中心でピン６８に固定的に結合されている。これによってこの地点では平面部材６７は容器の底および液体のレベルに対して一定の距離に保持される。平面部材６７の構成物質を撓み性または弾性に関して適切に選択することによって押しロッドまたは押しピストン６９ａ、６９ｂの作動がきわめて魅力的な引き波効果の形成を導き、これは光投影によって可視化することができる。押しロッドまたはピストンの作動および光投影は上記の本発明の一般的な教示に従って行われる。撓み性の要求に適う平面部材６７（図７）は直径１ｍおよび厚さ５ｍｍのポリエチレンメタクリレート製の円形ディスクである。該平面部材６７は付加的に弾性部材７１を介して液体の容器６５の縁または側壁へ結合または連結することができる。
これまでのところ単一の液体容器（１１、図１、図２；２１、図３；３７、図４；３９、図５；５１、図６；６５、図７）内に配置された単一の平面部材（１３、図１、図２；３３、図４；４１、図５；５７、図６）がこれまで述べられたきた本発明の実施構造の部分として考えられてきた。しかし当業者は、上記と同じ液体容器内の１つ以上の平面部材を備える配置が本発明の範囲内であり、これにより本発明による視覚的効果の多様性を一層増大させることを容易に理解しよう。この点で興味深いデザイン構成は互いに隣接する部分へ分割された平らな表面であろう。各部分は上記の様な１つ以上の駆動機構による駆動作用を受け、これにより各部分は多少隣接の部分から独立に運動可能である。例えば２つの隣接した部分の隣接する縁は、作動駆動装置が急激に働いた場合に２つの隣接部分の運動挙動の独立性を減少させるために、または制限するために弾性部材を介して互いに連結または結合することができる。この構成はまた本発明の基本的な思想、すなわち平面部材（単一の一体ボディから成る、あるいは複数の隣接する平坦な表面部分から成る構成による）がその上の液体の層に対して可変の深さにおける可動の底として働くという事情を具体化する；したがって表現“可動の底”は上記の全体的な平面部材の種々の１部分の同平面部材の他の隣接部分に対して相対的な運動能力を包含する。
平面部材のための機械的な駆動機構または作動機構は、上記のもの以外の種々の異なる種類のものであってよい；このような別の駆動装置は電動機、空気圧システム、液力システムおよび機械的な運動駆動または作動システムの分野で周知の他のシステムによって駆動される他の機械的な運動機構を包含する。例えば図６に略示された構成に相当する実施例で、液体５２として水を使い、“ｌ”が７０〜１００ｃｍ、かつ“ｈ”が約５ｃｍの場合、所望の特別な波パターンに依存して電力消費が５０と１００Ｗの間にある低電圧（１２Ｖ）のｄｃ電動機を使用して良好な結果が得られた（例えば使用される電動機はボッシュ（Bosch）ＷＸＰシリーズ０３９０モデルである）。
平面部材（１３、図１、図２；３３、図４；４１、図５；５７、図６）上の作動点または駆動点の数は考慮される実施形の洗練度およびコストに依存して変化する：若干の実際的な使用には単一の駆動機構が受容され、他方別の場合には平面部材の任意の所望の空間的オリエンテーションを得るために３つの機構が該平面部材の周辺に３つの可能な等距離の位置に設けられよう。他の場合には各作動点または駆動点で機械的な部材の寸法を低減するという観点でより多数が設けられよう。
本発明の範囲内に包含される具体的な、特に興味深い変更形は平面部材の手動での運動の可能性である。この変更実施形は、その重要性が特別な操作員のための上昇コストを正当化するショーやイベントのような非連続的な使用に関する；この方法は、手動による作動が高度に、平面部材に適用される駆動または作動の量または力を最適に選別または制御することができ、かつ適時（in time）変更し、また駆動装置作動の点またはサイトを変えるという利点を有する。また公衆によるより双方向的なふるまいまたは参加という一般的な流行により、公衆から複数の人間が本発明の同じ投影装置へ同時に手動で作用するという状況があろう、各人は平面部材の縁または周辺に沿って異なる点において手動操作する。
本発明の他の興味深い適用は、平面部材を動かすのに身体の動作または操作員による貢献を含むことが必ずではないが、あり得るものであり、スパ、ウエルネスセンターおよびフィットネスセンターでの使用が増えているような画期的なリラックス器具およびウエルネス器具の分野に関する。より進歩したリラックス（または反ストレス）器具は着色光、サウンドおよび時にソフトな身体エクササイズを調和的に合わせる。“リラックス”目的の本発明の構成は、これらが終わることのない多様な視覚的に認められる波運動デザインパターンの視覚的感知を容器内で運動する液体のサウンドと合わせるためにきわめて重要である。現代の流行は調和的な現象の感知とソフトな身体エクササイズとの組合せであるので、本発明を利用するためのきわめて興味深いやり方は、装置を身体で操作または作動すること、すなわち必要な駆動圧力を平面部材へ適用することであり、これはソフトな身体エクササイズであり、この動作の結果の視覚による、かつ音響の感知、すなわち投影された液体の波の運動と液体容器内の波の運動のサウンドと組み合わされる。既述の平面部材に身体で作用する１つの可能な方法は手動で手を用いる。別の可能性は、やはり本発明の範囲内に含まれる、装置のペダル式作動（すなわち足を用いる）に関する。このようなペダル適用、すなわち足使用の例は図８に示されたような“リラックス室”である：人７２が身体をリラックス位置に伸ばし、かつ上方を眺めてアームチェア７３内に快適に座っている。平面部材７５を備える液体容器７４は天井または天井近く、アームチェアの前に置かれ、その人の足が本発明による具体的な技術的構造に依存して平面部材の駆動機構へ機械的に結合または連結された支持部材上かまたは直接平面部材上に支持される；この構成は液体との直接の身体的コンタクトを与えるという付加的な利点を持ち、このコンタクトは例えば液体が適温の水である場合に付加的な喜びおよび有益な効果となり得る。光学装置７６内に設けられた光源は光ビームを発し、光ビームは平面部材のミラー様の表面によって反射され、液体の波のデザインパターン７７が壁スクリーン７８上で見られるようになる。これに関連して“リラックス室”が既にスパおよびウエルネスセンターで通常使用されており、一般にアームチェアまたはソフトエクササイズ器具および視覚的および音響的刺激の技術手段を含んでいることに注意することが重要である：この関係で本発明を用いて得られる新規の結果は液体として水が選択されると一層顕著となる；この創意は、この状況に含まれる双方向性（すなわち人が投影装置へ、特に投影装置内の液体の運動を発生する部材へ身体的に作用することによってイメージおよびサウンドを発生し、かつ変化させる）、喜びおよびソフトな身体エクササイズと組み合わされた、天然要素である水によって作られるイメージとサウンド、無限の多様性と高い美的な魅力のイメージからなるか、またはこれらによる。
本発明のこの特別な適用または使用分野を考えると、他の設計変更または構成、例えば図４で説明され、示されたような波発生器（２９，３０，３１、図４）を電動機の代わりに足で作動するなどが本発明の範囲内に含まれることは明らかである。自然の波の運動に似た高度な“自然性”を持つ投影イメージが望ましい場合には水が有利に選択される液体となろう（１０、図１、図２；２２、図３；３６、図４；３８、図５；５２、図６；６６、図７）。さもない場合には適当な粘度および表面張力を持つ他の液体を選択することができる；きわめて強力な光源を備える構成の場合には高い耐熱性を持つ液体、例えばある種の透明液状合成樹脂を選択することができる。
本発明の重要な面として、本方法の教示によりスクリーン上に形成された波のイメージを記録すること、引き続きスクリーンとして好適な壁上に再生することが提供される。このような記録は例えばビデオカメラのような記録装置を用いて行うことができ、かつ引き続く再生操作はＴＶ投影のような投影技術または他の前記録されたイメージの可視化技術によって行うことができる。これらの記録／再生方法は明らかに本発明の範囲内である。
本発明を明細書中でその基本的な原理についてこの原理の優れた実施例と適用によって記載してきた。これら具体的、例示的に記載されたもの以外の変更および適用が本発明（スクリーンとして機能するのに適した種々の性質、寸法、形状およびオリエンテーションの表面上で可視化される遠近画法的装飾効果という基本的な思想によって決定される）の範囲内であることは遠近画法画家（scenographer）、建築家、クリエイティブな職業人およびこの分野の他の専門家にとっては明らかであろう。このような遠近画法的装飾効果は好適な液体、例えば水の波の可視化にあり、かつ該効果はこの液体の波の運動を光源を用いて（所望または必要ならば伝統的な光学手段を連結して）光投影することによって作られる。波は好適な容器内の液体への機械的作用によって発生せしめられ、かつ波は該容器内に備えられた可動の平面部材の上方に形成されてきわめて多様な可変の形状とデザインパターンを示す。可動の平面部材は機械的な手段によってまたは手動により作動されて傾斜、空間的なオリエンテーション、液体の表面に対する深さおよび容器の底からの距離を変える。可動の平面部材の作動中にこれに加えられるエネルギーが波の発生の源（originating cause）であると、必要ではないが、有利である。
【図１】
0004147289.tif 000002
【図２】
0004147289.tif 000003
【図３】
0004147289.tif 000004
【図４】
0004147289.tif 000005
【図５】
0004147289.tif 000006
【図６】
0004147289.tif 000007
【図７】
0004147289.tif 000008
【図８】
0004147289.tif 000009